(57)【要約】【課題】人と人とのコミュニケーションを深化させ、人と人が集まって賑やかに楽しむことを促進するシステムを提供する。【解決手段】コミュニケーション深化促進システムは、予め定められた範囲内に集まった、各々デバイスを所有する複数ユーザを特定する特定手段と、特定された複数ユーザの各々の属性情報を取得する属性情報取得手段と、複数ユーザのユーザ数と複数ユーザの各々の属性情報とに基づき、提供すべきコンテンツを選定する選定手段と、選定されたコンテンツを出力する出力手段と、を備える。【選択図】図１
2020144463.tif 000002
【特許請求の範囲】
【請求項１】
予め定められた範囲内に集まった、各々デバイスを所有する複数ユーザを特定する特定手段と、
特定された前記複数ユーザの各々の属性情報を取得する属性情報取得手段と、
前記複数ユーザのユーザ数と当該複数ユーザの各々の前記属性情報とに基づき、提供すべきコンテンツを選定する選定手段と、
選定された前記コンテンツを出力する出力手段と、
を備えることを特徴とするコミュニケーション深化促進システム。
【請求項２】
前記選定手段は、コミュニケーションを深化させることができるものとして予め定められているコンテンツの中から、前記複数ユーザ間のコミュニケーションを深化させることができると判断されるコンテンツを選定することを特徴とする請求項１記載のコミュニケーション深化促進システム。
【請求項３】
前記選定手段は、前記ユーザ数が多くなるに従って、選定可能な前記コンテンツの充実度を高めることを特徴とする請求項１記載のコミュニケーション深化促進システム。
【請求項４】
前記選定手段は、前記ユーザに提供されたコンテンツの履歴情報に基づいて、前記コンテンツの選定を行うことを特徴とする請求項１に記載のコミュニケーション深化促進システム。
【請求項５】
前記出力手段は、前記範囲内に前記複数ユーザが集まっているときに、選定された前記コンテンツを出力することを特徴とする請求項１に記載のコミュニケーション深化促進システム。
【請求項６】
予め定められた範囲内に集まった、各々デバイスを所有する複数ユーザの各々の属性情報を取得する属性情報取得部と、
前記複数ユーザのユーザ数と当該複数ユーザの各々の前記属性情報とに基づき、提供すべきコンテンツを選定する選定部と、
選定された前記コンテンツを出力させる出力部と、
を備えることを特徴とするコミュニケーション深化促進装置。
【請求項７】
コンピュータに、
予め定められた範囲内に集まった、各々デバイスを所有する複数ユーザを特定させる機能と、
特定された前記複数ユーザの各々の属性情報を取得する機能と、
前記複数ユーザのユーザ数と当該複数ユーザの各々の前記属性情報とに基づき、提供すべきコンテンツを選定する機能と、
選定された前記コンテンツを、出力装置にて出力させる機能と、
を実現させるプログラム。
【発明の詳細な説明】
【技術分野】
【０００１】
本発明は、コミュニケーション深化促進システム、コミュニケーション深化促進装置およびプログラムに関する。
【背景技術】
【０００２】
例えば特許文献１には、携帯端末のＧＰＳ機能によって、携帯端末の現在地が所定の領域内にあることを確認して、特定の領域内のみで提供されるサービスであることを担保するとともに、ビーコン端末等の発信機から発信された無線信号の受信機能を用いてビーコン端末等を識別し、各々の発信機の設置場所に応じて発生させるイベントの順序を制御することによって、所定の場所を順番に回ってミッションを達成する、スタンプラリーや宝探しのようなエンターテイメント性の高いサービスを提供する技術が開示されている。
【先行技術文献】
【特許文献】
【０００３】
【特許文献１】特開２０１８−６８５９９号公報
【発明の概要】
【発明が解決しようとする課題】
【０００４】
例えば、高齢化が進んだりすると、高齢者の一人暮らしなど孤独が問題となってくる。また、ファミリーの世帯であっても、子供が成長するにつれ孤食化が進む傾向にある。一方で、人の生きがいや幸せは人と人とのコミュニケーションによって得られることも多い。例えば、以前では、一家に一台だけテレビがあり食事や団らんを楽しむことが多かったが、現在では、スマートフォン等のインターネットにより情報を個人毎に得られるデバイスの発達により、孤食化が進む傾向にある。
本発明は、人と人とのコミュニケーションを深化させ、人と人が集まって賑やかに楽しむことを促進するシステムを提供することを目的とする。
【課題を解決するための手段】
【０００５】
かかる目的のもと、本発明は、予め定められた範囲内に集まった、各々デバイスを所有する複数ユーザを特定する特定手段と、特定された複数ユーザの各々の属性情報を取得する属性情報取得手段と、複数ユーザのユーザ数と複数ユーザの各々の属性情報とに基づき、提供すべきコンテンツを選定する選定手段と、選定されたコンテンツを出力する出力手段と、を備えることを特徴とするコミュニケーション深化促進システムである。
ここで、選定手段は、コミュニケーションを深化させることができるものとして予め定められているコンテンツの中から、複数ユーザ間のコミュニケーションを深化させることができると判断されるコンテンツを選定することを特徴とする。
また、選定手段は、ユーザ数が多くなるに従って、選定可能なコンテンツの充実度を高めることを特徴とする。
さらに、選定手段は、ユーザに提供されたコンテンツの履歴情報に基づいて、コンテンツの選定を行うことを特徴とする。
そして、出力手段は、範囲内に複数ユーザが集まっているときに、選定されたコンテンツを出力することを特徴とする。
また、かかる目的のもと、本発明は、予め定められた範囲内に集まった、各々デバイスを所有する複数ユーザの各々の属性情報を取得する属性情報取得部と、複数ユーザのユーザ数と複数ユーザの各々の属性情報とに基づき、提供すべきコンテンツを選定する選定部と、選定されたコンテンツを出力させる出力部と、を備えることを特徴とするコミュニケーション深化促進装置である。
また、かかる目的のもと、本発明は、コンピュータに、予め定められた範囲内に集まった、各々デバイスを所有する複数ユーザを特定させる機能と、特定された複数ユーザの各々の属性情報を取得する機能と、複数ユーザのユーザ数と複数ユーザの各々の属性情報とに基づき、提供すべきコンテンツを選定する機能と、選定されたコンテンツを、出力装置にて出力させる機能と、を実現させるプログラムである。
【発明の効果】
【０００６】
本発明によれば、人と人とのコミュニケーションを深化させ、人と人が集まって賑やかに楽しむことを促進することができる。
【図面の簡単な説明】
【０００７】
【図１】本実施形態のコミュニケーション深化促進システムの一例の全体図である。
【図２】本実施形態のサーバ装置の機能構成を示す図である。
【図３】本実施形態のユーザ情報管理テーブルの一例である。
【図４】本実施形態のコンテンツ管理テーブルの一例である。
【図５】本実施形態のコンテンツ選定テーブルの一例である。
【図６】本実施形態のコンテンツ選定テーブルの一例である。
【図７】本実施形態のコンテンツ選定テーブルの一例である。
【図８】コミュニケーション深化促進システムの動作フロー図である。
【発明を実施するための形態】
【０００８】
以下、添付図面を参照して、本発明を実施するための形態について説明する。
図１は、本実施形態のコミュニケーション深化促進システム１の一例の全体図である。
【０００９】
［コミュニケーション深化促進システム１］
図１に示すように、本実施形態のコミュニケーション深化促進システム１は、ユーザＡが所有する第１端末装置１０Ａと、ユーザＢが所有する第２端末装置１０Ｂと、ユーザＣが所有する第３端末装置１０Ｃと、画像の表示および音声の出力を行うディスプレイ装置２０と、音声の入力および出力が可能なスピーカ装置３０と、を備えている。さらに、コミュニケーション深化促進システム１は、複数の装置との間で相互に通信が可能なサーバ装置４０を備えている。
【００１０】
なお、本実施形態のコミュニケーション深化促進システム１では、各々の装置は、ネットワークを介して、相互に情報通信を行えるようになっている。ネットワークは、各装置の間のデータ通信に用いられる通信ネットワークであれば特に限定されず、例えばＬＡＮ（Local Area Network）、ＷＡＮ（Wide Area Network）、インターネット等として良い。データ通信に用いられる通信回線は、有線か無線かを問わず、これらを併用しても良い。また、各装置は、ゲートウェイ装置やルータ等の中継装置を用い、複数のネットワークや通信回線を介して接続されても良い。
【００１１】
また、図１においては、複数の端末装置１０として３台の端末装置１０を例示しているが、４台以上の端末装置１０が接続していても良い。なお、本実施形態の説明において、第１端末装置１０Ａ、第２端末装置１０Ｂおよび第３端末装置１０Ｃについてそれぞれ区別しない場合には、「端末装置１０」と総称して説明を行う。
さらに、ディスプレイ装置２０およびスピーカ装置３０についても、本実施形態のコミュニケーション深化促進システム１を構成するための台数は、図１に示す例に限定されない。
【００１２】
また、図１に示す例では、一つのサーバ装置４０が示されているが、サーバ装置４０は、単体のサーバマシンに限定されない。サーバ装置４０は、ネットワーク上に設けられた複数のサーバマシンに分散させてサーバ装置４０の機能を実現しても良い（いわゆるクラウド環境等）。
【００１３】
そして、本実施形態のコミュニケーション深化促進システム１では、例えば予め定められた範囲内に集まった、各々の端末装置１０を所有する複数ユーザ（図１の例では、ユーザＡ、ユーザＢおよびユーザＣ）を特定する。そして、コミュニケーション深化促進システム１では、特定された複数ユーザの各々のユーザ属性情報を集める。さらに、コミュニケーション深化促進システム１は、複数ユーザのユーザ数と複数ユーザの各々のユーザ属性情報とに基づき、提供すべきコンテンツ選定し、選定されたコンテンツをユーザに提供する。
以下、本実施形態のコミュニケーション深化促進システム１について詳細に説明する。
【００１４】
〔端末装置１０〕
端末装置１０（デイバイスの一例、出力手段の一例）には、スマートフォンなどの携帯電話、タブレット型端末などの携帯端末機器、スマートウォッチやスマートグラスなどのウェアラブル機器など、ユーザが携行することが可能な装置を用いることができる。本実施形態の端末装置１０は、タッチパネルが設けられており、画面をユーザがタッチすることで画面に表示される画像に対する操作および指示を行う。
【００１５】
さらに、端末装置１０は、Ｗｉ−Ｆｉ（登録商標）などの無線ＬＡＮ、ＢＬＥ（Bluetooth Low Energy）（登録商標）や、ＧＰＳ（Global Positioning System）などの通信が行えるようになっている。特に、本実施形態の端末装置１０は、これらの通信に基づいて、端末装置１０の位置を特定できるようになっている。例えば、Ｗｉ−Ｆｉに基づく場合、端末装置１０は、アクセスポイントからの電波強度など距離に係わる情報に基づいて端末装置１０の位置を特定する。また、ＢＬＥに基づく場合には、端末装置１０は、Bluetooth（登録商標）発信機からの信号強度など距離に係わる情報に基づいて端末装置１０の位置を特定する。さらに、ＧＰＳに基づく場合、端末装置１０は、ＧＰＳ信号に基づく位置情報によって自装置の位置を特定する。
【００１６】
さらに、端末装置１０は、サーバ装置４０のユーザ特定部４３（後述）からの検索指示に基づいて、周囲にある他の端末装置１０との位置関係を特定する。例えば、代表のユーザ（以下、代表ユーザ）としてユーザＡの第１端末装置１０Ａが検索指示を受信した場合、第１端末装置１０Ａは、Bluetoothの通信に基づいて周囲に他の端末装置１０からの応答を得るための信号を発信する。そして、例えば、第１端末装置１０Ａの信号が、ユーザＢの第２端末装置１０ＢおよびユーザＣの第３端末装置１０Ｃによって受信されるとする。この場合、第１端末装置１０Ａは、第２端末装置１０Ｂおよび第３端末装置１０Ｃから応答信号を受信する。なお、応答信号には、各々の端末を一意に特定可能なユーザ端末ＩＤ（後述）が含まれる。
【００１７】
そして、この例では、代表ユーザであるユーザＡの第１端末装置１０Ａは、自装置および他の端末装置１０のユーザ端末ＩＤを検索結果としてサーバ装置４０に送信する。例えばBluetoothによる装置間の通信は、予め定められた距離の範囲内に限られる。そのため、検索信号を受信した端末装置１０を基点として、他の端末装置１０の検索を行うことで、予め定められた範囲内に存在する端末装置１０を把握できる。そして、端末装置１０は各々のユーザによって携行されるため、端末装置１０の位置に基づいて、予め定められた範囲内に集まった複数のユーザ（以下、集合ユーザ）が特定される。
【００１８】
なお、端末装置１０には、本実施形態のコミュニケーション深化促進システム１を利用するためのアプリケーション・プログラムが予めインストールされている。このアプリケーション・プログラムは、ネットワークを介して、例えばサーバ装置４０からダウンロードすることができる。
【００１９】
〔サーバ装置４０〕
図２は、本実施形態のサーバ装置４０の機能構成を示す図である。
図２に示すように、サーバ装置４０は、本システムを利用するユーザの情報を管理するユーザ管理部４１と、複数のコンテンツを管理するコンテンツ管理部４２と、予め定められた範囲内に集まったユーザを特定するユーザ特定部４３（特定手段の一例）と、を備える。また、サーバ装置４０は、提供すべきコンテンツを選定するコンテンツ選定部４４（選定手段の一例、選定部の一例、属性情報取得手段の一例、属性情報取得部の一例）と、ユーザに提供されたコンテンツの履歴を管理する履歴管理部４５と、を備える。
【００２０】
（ユーザ管理部４１）
図３は、本実施形態のユーザ情報管理テーブル１００の一例である。
【００２１】
ユーザ管理部４１は、各々のユーザからユーザ情報の登録を受け付ける。なお、ユーザ情報の受け付けは、端末装置１０を介してユーザによってユーザ情報が入力されることで行われる。そして、ユーザ管理部４１は、ユーザ情報をユーザごとにまとめたユーザ情報管理テーブル１００として記憶する。
そして、ユーザ管理部４１は、コンテンツ選定部４４からの要求に応じて、ユーザ情報管理テーブル１００を構成するユーザ情報をコンテンツ選定部４４に送信する。
【００２２】
そして、図３に示すように、ユーザ情報管理テーブル１００は、ユーザを一意に特定可能な「ユーザＩＤ」と、ユーザの氏名である「ユーザ名」と、各々のユーザが所有する端末装置１０を一意に特定可能な「ユーザ端末ＩＤ」と、の項目を有する。また、ユーザ情報管理テーブル１００は、他のユーザとの関係を示す情報である「関係情報」と、ユーザの性別を示す「性別」と、ユーザの年代を示す「年代」と、ユーザの趣味や特技に関する情報である「趣味・特技」と、の項目を有する。さらに、ユーザ情報管理テーブル１００は、端末装置１０以外にユーザが利用可能な装置を一意に特定可能な「登録機器２」および「登録機器３」の項目を有している。
【００２３】
「ユーザＩＤ」は、ユーザが端末装置１０を介して本システムの利用の登録を行った際に、本システムが任意に付与する。なお、本実施形態において、ユーザに関する各種の情報は、ユーザＩＤに紐付けられて、ユーザごとに管理される。
【００２４】
「ユーザ端末ＩＤ」は、各々のユーザが所有する端末装置１０ごとに付与される。なお、各々の端末装置１０の特定は、各々の端末装置１０ごとに割り振られた固定ＩＰアドレス、機器のシリアル番号、ＭＡＣアドレスなどの装置に固有な情報を用いることができる。
【００２５】
「関係情報」は、各々のユーザと家族や友人である他のユーザとを関連付けるための情報である。例えば、ユーザＡ、ユーザＢおよびユーザＣが同じ家族である場合、ユーザＡの関係情報には、ユーザＢおよびユーザＣが家族であるという情報（この例では、「００２−家族」、「００３−家族」）が登録される。また、例えば、ユーザＡおよびユーザＪが友人である場合、ユーザＡの関係情報には、ユーザＪが友人であるという情報（この例では、「０１０−友人」）が登録される。
【００２６】
「趣味・特技」は、ユーザが任意に登録することができる。また、「趣味・特技」の数は、単数でも複数でも構わない。
【００２７】
「登録機器２」および「登録機器３」は、ユーザが利用する装置を登録するための情報である。例えば、ユーザＡがディスプレイ装置２０およびスピーカ装置３０（図１参照）を利用可能である場合には、ディスプレイ装置２０およびスピーカ装置３０を一意に特定するための識別情報が登録される。また、機器が共用される場合には、複数のユーザ間で同じ識別情報の機器が登録される。
なお、機器の特定は、端末装置１０と同様に、固定ＩＰアドレス、機器のシリアル番号、ＭＡＣアドレスなどを用いることができる。
【００２８】
（コンテンツ管理部４２）
図４は、本実施形態のコンテンツ管理テーブル２００の一例である。
【００２９】
コンテンツ管理部４２は、本実施形態のコミュニケーション深化促進システム１においてユーザに提供される複数のコンテンツを管理する。ここで、コンテンツとは、電子的に提供される情報であり、例えば、映画、音楽、アニメーション、ドラマ、漫画、ゲーム、電子書籍、文章、画像などが含まれる。また、本実施形態のコンテンツ管理部４２は、集合ユーザのコミュニケーションを深化させることができるコンテンツを採用している。
【００３０】
そして、コンテンツ管理部４２は、コンテンツごとに、コンテンツの詳細情報を管理する。さらに、コンテンツ管理部４２は、コンテンツの詳細情報をコンテンツごとにまとめてコンテンツ管理テーブル２００として記憶する。また、コンテンツ管理部４２は、コンテンツ選定部４４からの要求に応じて、コンテンツ管理テーブル２００を構成するコンテンツの詳細情報をコンテンツ選定部４４に送信する。
【００３１】
そして、図４に示すように、コンテンツ管理テーブル２００は、コンテンツを一意に特定可能な「コンテンツＩＤ」と、コンテンツの名称である「コンテンツ名」と、コンテンツの区分である「カテゴリー」と、の項目を有する。また、コンテンツ管理テーブル２００は、コンテンツの内容を示す「コンテンツ内容」と、コンテンツの価値を示す尺度である「プレミアム度」と、コンテンツを得るためのアクセス先を示す「アクセス情報」と、の項目を有する。
【００３２】
「コンテンツＩＤ」は、コンテンツごとに付与される。なお、本実施形態において、コンテンツに関する各種の情報は、コンテンツＩＤに紐付けられて、コンテンツごとに管理される。
【００３３】
「カテゴリー」は、本実施形態では、音楽、スポーツ、ドラマ、映画、ゲーム、趣味などを例示することができる。
【００３４】
「コンテンツ内容」は、コンテンツの内容を具体的に示す情報である。コンテンツ内容は、本実施形態では、アニメ、ゴルフ、パズル、恋愛、旅行などを例示することができる。
【００３５】
「プレミアム度」は、コンテンツの価値を複数の段階で表したものである。本実施形態のプレミアム度は、「１」〜「５」の５段階で特定される。プレミアム度は、「１」から「５」に向けて、価値が高く設定されている。本実施形態においては、例えば、人気が高くユーザがより視聴等をしたい動画に対してプレミアム度を高く設定するようにしている。
【００３６】
「アクセス情報」は、ユーザがコンテンツを視聴等するためのデータのアクセス先を指定する情報である。アクセス情報は、サーバ装置４０の記憶媒体に保存されるデータである場合には、サクセス先のメモリアドレスが設定される。また、アクセス情報は、サーバ装置４０とは別のサーバ装置等にコンテンツのデータが格納されているような場合には、ＵＲＬ（Uniform Resource Locator）が設定される。
【００３７】
（ユーザ特定部４３）
ユーザ特定部４３は、代表ユーザが端末装置１０を介して本システムの利用開始を行った場合、代表ユーザの端末装置１０に対して検索指示を送信する。そして、ユーザ特定部４３は、代表ユーザの端末装置１０から、検索結果として予め定められた範囲内に存在する他の端末装置１０のユーザ端末ＩＤを取得する。そして、ユーザ特定部４３は、ユーザ端末ＩＤに基づいて集合ユーザを特定する。
【００３８】
また、ユーザ特定部４３は、ユーザ情報管理テーブル１００（図３参照）に基づいて、集合ユーザの関係情報から、集合ユーザ間の関係を特定する。
ユーザ特定部４３は、集合ユーザがユーザＩＤ：００１、ユーザＩＤ：００２およびユーザＩＤ：００３によって構成されていた場合、例えば図３に示すように、この集合ユーザが家族または親子であると特定する。また、ユーザ特定部４３は、集合ユーザがユーザＩＤ：００４およびユーザＩＤ：００９によって構成されていた場合、この集合ユーザは、友人の集まりであると特定する。
そして、ユーザ特定部４３は、特定した集合ユーザのユーザ情報をコンテンツ選定部４４に送る。
【００３９】
（コンテンツ選定部４４）
図５、図６および図７は、本実施形態のコンテンツ選定テーブルの一例である。
【００４０】
コンテンツ選定部４４は、ユーザ特定部４３から取得した集合ユーザのユーザＩＤに基づいて、集合ユーザに対して提供するコンテンツを選定する。本実施形態では、コンテンツ選定部４４は、集合ユーザのユーザ数と、集合ユーザの各々のユーザ情報（属性情報の一例）とに基づいて提供するコンテンツを選定する。そして、コンテンツ選定部４４は、集合ユーザを構成する複数のユーザ間のコミュニケーションを深化させることができると判断されるコンテンツを選定する。
【００４１】
本実施形態のコンテンツ選定部４４は、コンテンツを選択するためのコンテンツ選定テーブルを参照し、集合ユーザのユーザ数と、集合ユーザの各々のユーザ情報とに基づいて集合ユーザに提供するコンテンツを決定する。本実施形態のコンテンツ選定部４４は、集合ユーザを構成するユーザ数に応じてそれぞれコンテンツ選定テーブルを用意している。
【００４２】
図５に示すように、ユーザ数が２名の場合に用いられるコンテンツ選定テーブル３０１は、集合ユーザを構成する人数である「ユーザ数」と、集合ユーザの組合せを示す「組合せ」と、の項目を有する。また、コンテンツ選定テーブル３０１は、「コンテンツＩＤ」と、「コンテンツ名称」と、「カテゴリー」と、「コンテンツ内容」と、「プレミアム度」と、の項目が含まれている。
「組合せ」は、男性−女性の組合せ、女の子−母親の組合せ、男性−男性の組合せなどを例示することができる。
【００４３】
また、図６に示すように、ユーザ数が３名の場合に用いられるコンテンツ選定テーブル３０２についても、２名のコンテンツ選定テーブル３０２と同様な項目が設けられている。ここで、３名のコンテンツ選定テーブル３０２では、２名の場合に選択可能であったコンテンツを含みつつ、さらに選択可能なコンテンツが追加されている。例えば、関係情報が男性−女性の組合せである場合、３名のコンテンツ選定テーブル３０２では、２名の場合に選択可能であったコンテンツＩＤ：Ｃ００１に加え、コンテンツＩＤ：Ｃ０２１が設けられている。
【００４４】
さらにまた、図７に示すように、ユーザ数が４名の場合に用いられるコンテンツ選定テーブル３０３についても、２名のコンテンツ選定テーブル３０１と同様な項目が設けられている。ここで、４名のコンテンツ選定テーブル３０３では、２名の場合に選択可能であったコンテンツ、および３名の場合に選択可能であったコンテンツを含みつつ、さらに選択可能なコンテンツが追加されている。例えば、関係情報が男性−女性の組合せである場合、４名のコンテンツ選定テーブル３０２では、２名の場合に選択可能であったコンテンツＩＤ：Ｃ００１、および３名の場合に選択可能であったコンテンツＩＤ：Ｃ０２１に加え、コンテンツＩＤ：Ｃ０３１が設けられている。
【００４５】
以上のとおり、本実施形態では、集合ユーザを構成するユーザ数が多いほど、選定することが可能なコンテンツの数が増加するようになっている。つまり、コンテンツ選定部４４は、集合ユーザを構成するユーザ数が多くなるに従って、選定するコンテンツの充実度が高まるようにしている。
【００４６】
さらに、本実施形態では、集合ユーザを構成するユーザ数が多いほど、選定可能なコンテンツのプレミアム度が高くなるようになっている。そして、プレミアム度の観点からも、コンテンツ選定部４４は、集合ユーザを構成するユーザ数が多くなるに従って、選定するコンテンツの充実度が高まるようにしている。
【００４７】
本実施形態のコミュニケーション深化促進システム１では、ユーザ数が多いほど、集合ユーザが得られるコンテンツの充実度を高めることで、より多くのユーザが集まることを助長し、コミュニケーションがより促進されるようにしている。
【００４８】
また、コンテンツ選定部４４は、コンテンツを選定するに際して、ユーザ情報における趣味・特技の情報を用いることができる。
コンテンツ選定部４４は、集合ユーザを構成する複数のユーザの趣味・特技の情報を参照し、例えば複数のユーザ間で共通するものを特定する。そして、コンテンツ選定部４４は、複数のユーザ間で共通する趣味・特技に関係するコンテンツを選択する。これによって、コンテンツ選定部４４は、集合ユーザに共通する話題を提供することで、集合ユーザの会話をより盛り上げることができる。このように、本実施形態のコンテンツ選定部４４は、コミュニケーションを深化させることができるものとして予め定められているコンテンツの中から、集合ユーザ間のコミュニケーションを深化させることができると判断されるコンテンツを選定する。
【００４９】
さらに、コンテンツ選定部４４は、履歴管理部４５が管理する履歴情報に基づいてユーザに提供するコンテンツを選定する。本実施形態のコンテンツ選定部４４は、同じコンテンツが同じユーザに重複して提供されないようする。コンテンツ選定部４４は、例えば、コンテンツとして複数回数で構成されるドラマが提供されるような場合、既にユーザに提供された回の次の回を新たに提供するようにコンテンツ選定部４４に指示する。
【００５０】
また、コンテンツ選定部４４は、複数のユーザの単位で、提供するコンテンツを管理する。例えば、あるときに、集合ユーザがユーザＡおよびユーザＢにより構成され、これらのユーザに対して一のドラマの第１話が提供されたとする。その後、別の機会に、ユーザＡ、ユーザＢおよびユーザＣによって集合ユーザが形成されたとする。この場合、コンテンツ選定部４４は、ユーザＡおよびユーザＢに対しては一のドラマの第２話を提供し、ユーザＣに対しては一のドラマの第１話を提供する。
【００５１】
以上のように構成されるコンテンツ選定部４４は、選定したコンテンツを、集合ユーザがそれぞれ所有する端末装置１０の画面等に表示させる。なお、選定されたコンテンツの再生等は、集合ユーザの任意のタイミングで実行できるようになっている。ただし、本実施形態のコミュニケーション深化促進システム１では、選定されたコンテンツの再生等を、そのコンテンツを選定する契機となった集合ユーザが集まっているタイミングで行うようにしている。集合ユーザの属性情報に基づいて選定されたコンテンツを、その集合ユーザがタイムリーに視聴できれば、集合ユーザは、提供されたコンテンツを会話の材料として、さらに盛り上がることができる。
【００５２】
また、コンテンツ選定部４４は、ユーザが所有する端末装置１０以外に、ユーザに関連付けられているディスプレイ装置２０（出力手段の一例）やスピーカ装置３０（出力手段の一例）などの他の装置がある場合には、他の装置にてコンテンツが出力されるようにしても良い。すなわち、予め定められた範囲内に集まるユーザが携行するデバイスと、コンテンツを出力するデバイスとは、必ずしも同じであることに限定されない。また、例えば、ディスプレイ装置２０やスピーカ装置３０にてコンテンツが出力される場合には、集合ユーザ全員が一緒にコンテンツを視聴等することができるため、集合ユーザのコミュニケーションが更に活性化される。
【００５３】
（履歴管理部４５）
履歴管理部４５は、各々のユーザに対して提供されたコンテンツの履歴を記憶する。本実施形態では、履歴管理部４５は、あるユーザにコンテンツが提供されたタイミングで、ユーザＩＤおよびコンテンツＩＤを紐付けて、提供された日時とともに、履歴情報として記憶する。そして、履歴管理部４５は、上述したとおり、コンテンツ選定部４４からの要求に応じて記憶している履歴情報をコンテンツ選定部４４に送る。
【００５４】
続いて、本実施形態のコミュニケーション深化促進システム１の動作について説明する。
図８は、コミュニケーション深化促進システム１の動作フロー図である。
図８に示すように、代表ユーザの端末装置１０からサーバ装置４０に対するログインを受け付ける（ステップ１０１）。そうすると、サーバ装置４０は、代表ユーザの端末装置１０に対して検索指示を送信する。そして、代表ユーザの端末装置１０は、検索指示に基づいて、予め定められた範囲内に存在している他のユーザの端末装置１０の検索を実行する（ステップ１０２）。
【００５５】
そして、代表ユーザの端末装置１０は、予め定められた範囲内に他のユーザの端末装置１０が存在しているか否か判断する（ステップ１０３）。そして、他のユーザの端末装置１０が存在しない場合（ステップ１０３にてＮｏ）には、再びステップ１０３に戻り、他のユーザの端末装置１０の検索を繰り返す。
一方、他のユーザの端末装置１０が存在する場合（ステップ１０３にＹｅｓ）には、代表ユーザの端末装置１０は、他のユーザの端末装置１０のユーザ端末ＩＤを特定する（ステップ１０４）。そして、代表ユーザの端末装置１０は、自装置のユーザ端末ＩＤおよび特定した他のユーザの端末装置１０のユーザ端末ＩＤをサーバ装置４０に送信する（ステップ１０５）。
【００５６】
そして、代表ユーザを含む予め定められた範囲内に集まる集合ユーザを特定する（ステップ１０６）。すなわち、サーバ装置４０は、取得した複数のユーザ端末ＩＤに対応する複数のユーザＩＤを特定することによって、予め定められた範囲内に集まっている集合ユーザを特定する。具体的には、サーバ装置４０のユーザ特定部４３が、ユーザ管理部４１が管理するユーザ情報管理テーブル１００（図３参照）に基づいて、集合ユーザを特定する。
【００５７】
また、サーバ装置４０は、特定した複数のユーザＩＤ、すなわち集合ユーザのユーザ情報に基づいて、提供するコンテンツを選定する（ステップ１０７）。具体的には、サーバ装置４０のコンテンツ選定部４４が、ユーザ管理部４１が管理するユーザ情報管理テーブル１００およびコンテンツ選定テーブル３０１（３０２、３０３）に基づいて、集合ユーザに提供するコンテンツを選定する。
【００５８】
そして、サーバ装置４０は、選定したコンテンツを、集合ユーザを構成する各々のユーザが視聴可能にするための情報を各ユーザの端末装置１０に送信する。そして、各端末装置１０では、コンテンツを視聴可能にするための情報に基づいて、提供されたコンテンツの再生等の出力が実行される（ステップ１０８）。例えば、提供されるコンテンツがストリーミング再生される場合には、サーバ装置４０等に記憶される再生データが端末装置１０に送信され、端末装置１０にて再生される。
【００５９】
以上のように、本実施形態のコミュニケーション深化促進システム１では、複数のユーザが集まることで、集まったユーザに対してコンテンツが提供されるようになっている。一のユーザは、他のユーザと集まることで、ユーザの属性に合った魅力のあるコンテンツが提供されるため、積極的に他のユーザと集まろうと意識することができる。
また、本実施形態のコミュニケーション深化促進システム１では、例えば集合ユーザの趣味などに合わせた内容のコンテンツが提供されることで、集まっているユーザ同士の会話がさらに充実し、よりコミュニケーションが活発化するようになっている。
【００６０】
次に、本実施形態の端末装置１０、ディスプレイ装置２０、スピーカ装置３０およびサーバ装置４０のハードウェア構成について説明する。
端末装置１０、ディスプレイ装置２０、スピーカ装置３０およびサーバ装置４０は、それぞれ、ＣＰＵ（Central Processing Unit）と、主記憶装置（ワーキングメモリ）と、例えばＨＤＤやＳＳＤ等の補助記憶装置と、を備える。ＣＰＵは、ＯＳ（Operating System）やアプリケーション等の各種ソフトウェアを実行する。また、主記憶装置は、各種ソフトウェアやその実行に用いるデータ等を記憶する記憶領域である。補助記憶装置は、各種ソフトウェアに対する入力データや各種ソフトウェアからの出力データ等を記憶する記憶領域である。
また、端末装置１０、ディスプレイ装置２０、スピーカ装置３０およびサーバ装置４０は、それぞれ、外部との通信を行うための通信インターフェースと、ディスプレイやスピーカ等からなる出力機構と、タッチパネルやキーボード等の入力デバイスとを備える。
【００６１】
そして、本実施形態では、補助記憶装置には、ＯＳのプログラムや、コミュニケーション深化促進システム１の一連の機能を実現するアプリケーション・プログラムが格納されている。そして、これらのプログラムが主記憶装置に読み込まれてＣＰＵに実行されることにより、本実施形態の端末装置１０、ディスプレイ装置２０、スピーカ装置３０およびサーバ装置４０の各々における各機能部の機能が実現される。
【００６２】
さらに、本実施形態のコミュニケーション深化促進システム１における一連の動作を端末装置１０、ディスプレイ装置２０、スピーカ装置３０およびサーバ装置４０にてそれぞれ実現させるプログラムは、例えば通信手段により提供することはもちろん、各種の記録媒体に格納して提供しても良い。
【００６３】
なお、本実施形態のコミュニケーション深化促進システム１において行われる一連の機能を実現するための構成は、上述した例に限定されない。例えば、上述した実施形態においてサーバ装置４０が実現する機能は、全てサーバ装置４０によって実現される必要はなく、例えば端末装置１０が一部または全部の機能を実現しても良い。そして、サーバ装置４０が全ての機能を実現する場合には、サーバ装置４０がコミュニケーション深化促進装置の一例となる。一方、端末装置１０が全ての機能を実現する場合には、端末装置１０がコミュニケーション深化促進装置の一例となる。
【００６４】
また、本実施形態では、各々のユーザの年齢や趣味などのユーザ情報がサーバ装置４０に記憶されているが、この例に限定されない。例えば、ユーザ情報が各々の端末装置１０に予め保持されていて、サーバ装置４０は、コンテンツの選定を行う際に、端末装置１０からユーザ情報を取得するようにしても良い。
【００６５】
さらに、本実施形態では、例えば集合ユーザが集まる空間として、リビングルームやダイニングルームなどの屋内を想定した例を用いて説明しているが、この例に限定されない。例えば、集合ユーザが集まる空間は、自動車やバス、電車などの車内、あるいは、公園やなどの屋外であっても良い。
【符号の説明】
【００６６】
１…コミュニケーション深化促進システム、１０…端末装置、４０…サーバ装置、４１…ユーザ管理部、４２…コンテンツ管理部、４３…ユーザ特定部、４４…コンテンツ選定部、４５…履歴管理部
【図１】
2020144463.tif 000003
【図２】
2020144463.tif 000004
【図３】
2020144463.tif 000005
【図４】
2020144463.tif 000006
【図５】
2020144463.tif 000007
【図６】
2020144463.tif 000008
【図７】
2020144463.tif 000009
【図８】
2020144463.tif 000010